(57)【要約】【課題】施錠キーの操作だけで、掛け金による施錠ができ、解錠キー操作だけで、掛け金の解錠ができるといった操作が簡単であり、また、解錠キーがいたずらや不正目的で持ち去られる恐れがなく、しかも、部品点数が少なく、構造が簡単で故障等が生じにくく、堅牢であり、コンパクトであって、組立も容易で、製造コストの低い扉用施錠装置を提供する。【解決手段】基枠の正面板部に、施錠用の第１シリンダー錠７と解錠用の第２シリンダー錠８が取着されており、前記第１シリンダー錠には、その錠軸の回動と一体に回動する当接用アーム１４と、該当接用アームとの当接突起部を備えた掛け金２が回動可能に支持されており、前記第２シリンダー錠は、前記掛け金の解錠位置において解錠キーが抜き取り不能とされた錠であり、その錠軸には錠軸と一体に回動するカム２０が取り付けられており、前記掛け金には、カム当接端縁が形成され、前記カムには、前記カム当接端縁に当接する当接部が設けられ、前記掛け金と前記カムにコイルスプリング２５が掛止されてなる。【選択図】    図２
2004245015.tif 000002
【特許請求の範囲】
【請求項１】
基枠の正面板部に、施錠用の第１シリンダー錠と、解錠用の第２シリンダー錠が、それぞれの錠軸の軸線を平行にして取着された扉用施錠装置であって、
前記第１シリンダー錠は、錠軸が施錠キーにより所定角度回動可能とされた錠であり、前記錠軸には、錠軸の回動と一体に回動する当接用アームが取り付けられるとともに、該当接用アームとの当接突起部を備えた掛け金が回動可能に支持されており、
前記第２シリンダー錠は、錠軸が解錠キーにより所定角度回動可能とされ、前記掛け金の解錠位置において解錠キーが抜き取り不能とされた錠であり、前記錠軸には、その回動と一体に回動するカムが取り付けられており、
前記掛け金には、案内端縁と係合端縁からなるカム当接端縁が形成され、前記カムには、前記カム当接端縁に当接する当接部が設けられ、前記掛け金と前記カムに弾性部材が掛止され、その付勢力により、前記掛け金のカム当接端縁と前記カムの当接部とが当接するようになっており、前記掛け金は、解錠位置でストッパーにより停止可能とされていることを特徴とする扉用施錠装置。
【請求項２】
前記掛け金のカム当接端縁は、案内端縁が円弧状、係合端縁が直線状となっていることを特徴とする請求項１記載の扉用施錠装置。
【請求項３】
前記掛け金の当接突起部は、該掛け金に立設された第１軸部材からなり、
前記カムの当接部は、該カムに立設された第２軸部材と、該第２軸部材に遊嵌された筒状体からなり、
前記弾性部材が前記第１軸部材の延出部と前記第２軸部材の延出部とに掛止されてなることを特徴とする請求項１または２記載の扉用施錠装置。
【請求項４】
前記第１軸部材が雄ネジを有し、該雄ネジが前記掛け金に形成された雌ネジに螺合されるとともに、前記掛け金から所定長さ延出しており、
前記第２軸部材が雄ネジを有し、該雄ネジが前記カムに形成された雌ネジに螺合されるとともに、前記カムから所定長さ延出しており、
前記第２軸部材の雄ネジの延出部の一部に前記筒状体が遊嵌され、
前記第１軸部材の雄ネジの延出部と、前記第２軸部材の雄ネジの延出部のうち前記筒状体が遊嵌された部分を除く延出部に前記弾性部材が掛止されてなることを特徴とする請求項３記載の扉用施錠装置。
【請求項５】
前記弾性部材が、コイルスプリングであることを特徴とする請求項１、２、３または４記載の扉用施錠装置。
【請求項６】
前記掛け金は、板状であることを特徴とする請求項１、２、３、４または５記載の扉用施錠装置。
【請求項７】
前記ストッパーが、前記基枠の正面板部から後方に起立した側壁であることを特徴とする請求項１、２、３、４、５または６記載の扉用施錠装置。
【請求項８】
前記掛け金が、前記基枠の正面板部から後方に起立した側壁に形成されたスリットから側方に出没可能とされていることを特徴とする請求項１、２、３、４、５、６または７記載の扉用施錠装置。
【請求項９】
前記基枠の裏面側が、裏蓋によって、密閉されていることを特徴とする請求項１、２、３、４、５、６、７または８記載の扉用施錠装置。
【請求項１０】
前記掛け金に扉施錠用の切欠係合爪部が形成されていることを特徴とする請求項１、２、３、４、５、６、７、８または９記載の扉用施錠装置。
【請求項１１】
少なくとも、掛け金を裏返して第１シリンダー錠に装着可能とされ、掛け金による施錠方向が選択可能となっていることを特徴とする請求項１、２、３、４、５、６、７、８、９または１０記載の扉用施錠装置。
【発明の詳細な説明】
【０００１】
【発明の属する技術分野】
この発明は、扉用施錠装置に関するものである。さらに詳しくは、この発明は、施錠専用の錠と解錠専用の錠とを備えた扉用施錠装置に関するものである。
【０００２】
【従来の技術】
近年、ゲームセンター等において、例えば、営業者または管理者（以下、特に断らない限り「管理者等」という。）がロッカー内に賞品等を収納しておき、一方、プレイヤーが、所定のルールに従って、ロッカーを施錠している特定のキーを獲得し、その獲得したキーに対応するロッカーの扉を開いて中に収納されている賞品等を入手することができるようにしたゲームが行われ始めている。しかしながら、この種のゲームのために適した扉用施錠装置が見当たらないのが現状である。
【０００３】
例えば、コインロッカーに用いる扉用施錠装置は、コインを投入しないと、錠に差し込まれているキーを操作して施錠することができず、コインを投入することでキーの施錠操作が可能となり、掛け金を掛け、キーを抜き取ることができるようになっていることから、本出願人は、これを、前記ゲームで用いるロッカーの扉用施錠装置に使用すること試みた。この場合、ロッカーが空で錠にそれに対応するキーが差し込まれ抜き取りができない状態にセットされた初期状態において、管理者等は賞品等を収納し、コインを投入し、錠のキーを操作して掛け金を施錠位置まで移動または回動させてロッカーの扉を施錠し、キーを抜き取り、ゲームに供する。プレーヤーは、ゲームによって、特定のロッカーに用いられている錠のキーを獲得したら、そのキーを操作して、錠を解錠すると、掛け金が解錠位置まで戻り、扉を開けることができる。そして、中に収納されている賞品等を獲得すると、キーは錠に付いたままとなり、初期状態、すなわち、管理者等が、空となったロッカーに、賞品等を収納することができる状態となる。
【０００４】
ところで、プレイヤーが、完全に錠を解錠せず、掛け金による扉の施錠が外れるだけのところまでキーを操作して、扉を開き、次いで、キーを操作前の状態に戻すと、扉は開いてはいるものの掛け金は施錠位置の状態にあることから、中に収納された賞品等を獲得するとともに、いたずらまたは不正目的でキーを錠から抜き取り、持ち去ることができることになる。このようにして、キーが抜き取られると、管理者等は、ロッカーの扉用施錠装置、または、錠を交換することが必要になり、無用な経費や、手間がかかることになり、好ましいものとはいえない。
【０００５】
また、受取人が不在の場合に対処するための宅配用のロッカーに用いるダブルロック式の扉用施錠装置が、例えば、特許文献１に記載されているように、従来知られており、本出願人はこれを前記ゲームで用いるロッカーの扉用施錠装置に使用することを検討した。
特許文献１に記載の扉用施錠装置は、概略、掛け金を備えた扉用シリンダー錠とカム板を備えた作動用シリンダー錠との間にストップ機構を介在させた構造のものである。これを、前記ゲームで用いるロッカーの扉用施錠装置として使用する場合は、以下のようにして操作することができる。
【０００６】
すなわち、管理者等が空のロッカー内に、賞品等を収納し、扉を閉じた後、作動用シリンダー錠専用のキーを用いて扉用シリンダー錠のストッパー機構を解除し、扉用シリンダー錠の鍵穴に予め挿入されているキーによって扉用シリンダー錠の施錠操作を行い掛け金を掛ける。そして、作動用シリンダー錠をキー操作により、ストッパー機構を動作状態に復帰させ、扉用シリンダー錠と作動用シリンダー錠のキーをそれぞれ抜き取り、扉用シリンダー錠のキーをゲームに供する。プレーヤーは、ゲームによって、特定のロッカーに用いられている扉用シリンダー錠のキーを獲得したら、そのキーを操作して、扉用シリンダー錠を解錠すると、掛け金が解錠位置まで戻り、扉を開けることができる。そして、中に収納されている賞品等を獲得すると、キーは扉用シリンダー錠に付いたままとなり、初期状態、すなわち、管理者等が、空となったロッカーに、賞品等を収納することができることになる。
【０００７】
このような扉用施錠装置も、プレイヤーが、完全に扉用シリンダー錠を解錠せず、掛け金による扉の施錠が外れるだけのところまでキーを操作して、扉を開き、次いで、キーを操作前の状態に戻すと、扉は開いているものの掛け金は施錠位置の状態にあることから、中に収納された賞品等を獲得できるとともに、いたずらまたは不正目的でキーを扉用シリンダー錠から抜き取り、持ち去ることができることになり、前述したコインロッカーに用いる扉用施錠装置と同様の問題点を有する。
【０００８】
また、この扉用施錠装置では、ロッカー内に賞品等を収納し、扉用シリンダー錠のキーをゲームに供するのに、管理者等は、作動用シリンダー錠専用のキーを用いて扉用シリンダー錠のストッパー機構を解除する操作、次いで、扉用シリンダー錠の鍵穴に予め挿入されているキーによって扉用シリンダー錠の施錠操作を行い掛け金を掛ける操作、作動用シリンダー錠をキーでストッパー機構を動作状態に復帰させる操作、次いで、扉用シリンダー錠と作動用シリンダー錠のキーをそれぞれ抜き取る操作といった多数の操作を必要とし、煩雑でもある。そして、この扉用施錠装置では、扉用シリンダー錠と作動用シリンダー錠との間にストップ機構を介在させた構造であることから、構造が複雑で、故障しやすく、また、大きなスペースを占め、大型であり、部品点数が多く、組立も手間がかかり、製造単価が高価でもあり、好ましいものとはいえない。
【０００９】
【特許文献１】
実開平３−１１３０７４号公報（第１頁、第１〜第６図）
【００１０】
【発明が解決しようとする課題】
この発明は、上記のような実情に鑑み鋭意研究の結果創案されたものであり、施錠専用の錠のキー操作だけで、掛け金による施錠ができ、解錠専用の錠のキー操作だけで、掛け金の解錠ができるといった操作が簡単であり、また、解錠専用の錠のキーがいたずらや不正目的で持ち去られる恐れがなく、しかも、部品点数が少なく、構造が簡単で故障等が生じにくく、堅牢であり、コンパクトであって、組立も容易で、製造コストの低い扉用施錠装置を提供することを目的としている。
【００１１】
【課題を解決するための手段】
上記課題を解決するために、この発明は、（ｉ）基枠の正面板部に、施錠用の第１シリンダー錠と、解錠用の第２シリンダー錠が、それぞれの錠軸の軸線を平行にして取着された扉用施錠装置であって、前記第１シリンダー錠は、錠軸が施錠キーにより所定角度回動可能とされた錠であり、前記錠軸には、錠軸の回動と一体に回動する当接用アームが取り付けられるとともに、該当接用アームとの当接突起部を備えた掛け金が回動可能に支持されており、前記第２シリンダー錠は、錠軸が解錠キーにより所定角度回動可能とされ、前記掛け金の解錠位置において解錠キーが抜き取り不能とされた錠であり、前記錠軸には、その回動と一体に回動するカムが取り付けられており、前記掛け金には、案内端縁と係合端縁からなるカム当接端縁が形成され、前記カムには、前記カム当接端縁に当接する当接部が設けられ、前記掛け金と前記カムに弾性部材が掛止され、その付勢力により、前記掛け金のカム当接端縁と前記カムの当接部とが当接するようになっており、前記掛け金は、解錠位置でストッパーにより停止可能とされていることを特徴とする。
【００１２】
これによれば、施錠キーにより第１シリンダー錠の施錠操作を行うだけで、掛け金を解錠位置から施錠位置にまで回動させて施錠ができ、解錠キーにより第２シリンダー錠の解錠操作を行うだけで、掛け金を施錠位置から解錠位置にまで戻し解錠することができることになる。
より具体的に説明すると、前記掛け金がストッパーに当接した解錠位置にあり、第２シリンダー錠から解錠キーが抜き取り不能とされた状態（カムは、掛け金の解錠位置に対応した位置にある。）において、施錠キーによる第１シリンダー錠の施錠操作を行うことで、第１シリンダー錠の錠軸の回動に伴い、当接用アームが掛け金の当接突起部に当接し、弾性部材の付勢力に抗しつつ、掛け金が錠軸の軸心を中心に施錠位置まで回動することになる。掛け金の第１シリンダー錠の錠軸の軸心を中心とする解錠位置から施錠位置に至るまでの回動は、弾性部材の付勢力により掛け金のカム当接端縁のうちの案内端縁とカムの当接部が当接した状態で行われる。そして、掛け金が施錠位置に至ると、弾性部材の付勢力により、瞬間的に、カムは第２シリンダー錠の錠軸の軸線を中心に反転回動し、所定角度位置で停止する。この位置で、掛け金の係合端縁とカムの当接部とが当接することで、掛け金が施錠位置から解錠方向へ回動できなくなり、掛け金が施錠位置にロックされるとともに、第２シリンダー錠から解錠キーが抜き取り可能な状態となる。
【００１３】
掛け金の施錠状態において、解錠キーによる第２シリンダー錠の解錠操作を行うことで、弾性部材の付勢力に抗しつつ、第２シリンダー錠の錠軸とともにカムが解錠方向に回動され、カムの当接部と掛け金の係合端縁との当接が解除されると、弾性部材の付勢力により、掛け金は、瞬時に第１シリンダー錠の錠軸の軸心を中心に回動してストッパーと当接した解錠位置に戻ることになる。
なお、カムの当接部と掛け金の係合端縁との当接が解除された後、掛け金が解錠位置に戻るのが瞬時に行われることから、その際の、掛け金の案内端縁とカムの当接部は当接していてもよいし、当接していなくてもよい。掛け金がストッパーと当接した解錠位置に戻ると、カムの当接部が掛け金の案内端縁に当接し、第２シリンダー錠は解錠キーによる操作ができなくなるとともに、第２シリンダー錠から解錠キーが抜き取り不能とされた状態となる。
【００１４】
従って、例えば、ゲームセンター等に設置されたロッカーの扉用施錠装置として使用した場合、管理者等が空のロッカー内に賞品等を収納し、扉を閉じた後、施錠キーによる第１シリンダー錠の施錠操作を行うだけで、前記したことから明らかなように掛け金が錠軸の軸心を中心に施錠位置まで回動し、扉を施錠することができる。そして、施錠キーと解錠キーとを抜き取り、解錠キーをゲームに供する。プレーヤーは、ゲームによって、特定のロッカーに用いられている解錠キーを獲得し、そのキーを用いて第２シリンダー錠の解錠操作を行うと、前記したことから明らかなように掛け金がストッパーと当接した解錠位置に至り、第２シリンダー錠から解錠キーが抜き取り不能とされた初期状態に戻ることになる。
【００１５】
このように、この扉用施錠装置によれば、掛け金による扉の施錠は、施錠キーによる第１シリンダー錠の施錠操作だけで確実に行われ、複数のキー操作等を必要とせず、簡便である。また、解錠キーによる第２シリンダー錠の解錠操作によって、瞬時に掛け金が解錠位置に戻ってしまい、掛け金を途中の状態に一時的にでも維持することができないことから、掛け金による扉の施錠が外れるだけのところまで解錠キーを操作して、扉を開き、次いで、解錠キーを操作前の状態に戻して掛け金を施錠位置の状態にするようなことはできず、単に、ロッカー中に収納された賞品等を獲得できるだけであって、いたずらまたは不正目的で解錠キーを第２シリンダー錠から抜き取り、持ち去ることはできない。
そして、この扉用施錠装置は、部品点数が少なく、構造が簡単で故障等が生じにくく、堅牢であり、コンパクトであって、組立も容易で、製造コストの低いものである。
【００１６】
（ｉｉ）前記掛け金のカム当接端縁は、案内端縁が円弧状、係合端縁が直線状となっていることが、施錠、解錠操作が円滑であること等の点から好ましい。
【００１７】
（ｉｉｉ）前記当接用アームとの当接突起部は、前記掛け金に立設された第１軸部材からなり、前記カム当接用端縁との当接部は、前記カムに立設された第２軸部材と、該第２軸部材に遊嵌された筒状体からなり、前記弾性部材が前記第１軸部材の延出部と前記第２軸部材の延出部とに掛止されてなることが好ましい。これによれば、掛け金とカムとの当接が円滑に行われることになる。
【００１８】
（ｉｖ）そして、前記（ｉｉｉ）のより具体的構造としては、前記第１軸部材が雄ネジを有し、該雄ネジが前記掛け金に形成された雌ネジに螺合されるとともに、前記掛け金から所定長さ延出しており、前記第２軸部材が雄ネジを有し、該雄ネジが前記カムに形成された雌ネジに螺合されるとともに、前記カムから所定長さ延出しており、前記第２軸部材の雄ネジの延出部の一部に前記筒状体が遊嵌され、前記第１軸部材の雄ネジの延出部と、前記第２軸部材の雄ネジの延出部のうち前記筒状体が遊嵌された部分を除く延出部に前記弾性部材が掛止されてなることが好ましい。ここに使用される雄ネジ等は、市販品が使用でき、安価であり、また、組立、交換等に際しての取り扱いが容易である。
【００１９】
（ｖ）前記弾性部材としては、ゴム弾性体、バネが採用できるが、特にコイルスプリングが好ましい。コイルスプリングは、市販品が使用でき、安価であり、スペース占用率が小さいことから他の部材の邪魔になりにくく、また、組立、交換等に際しての取り扱いが容易である。
【００２０】
（ｖｉ）前記掛け金は、板状のものが採用できる。
【００２１】
（Ｖｉｉ）前記ストッパーを、前記基枠の正面板部から後方に起立した側壁とすることができる。これによれば、基枠を頑丈にできるとともに、別途ストッパーとしての別部材を必要としない。
【００２２】
（Ｖｉｉｉ）前記掛け金が、前記基枠の正面板部から後方に起立した側壁に形成されたスリットから側方に出没可能とすることが好ましい。これによれば、基枠を頑丈にできるとともに、掛け金を施錠位置にして扉を施錠したとき、無理に扉を開けようとしても、スリットによって掛け金が支えられることになり、無理な力が第１シリンダー錠の錠軸等にかかることを防止できる。
【００２３】
（ｉｘ）前記基枠の裏面側が、裏蓋によって、密閉されていることが好ましい。これによれば、不正操作具等による解錠を防止することができる。
【００２４】
（ｘ）前記掛け金に扉施錠用の切欠係合爪部が形成されててもよい。
【００２５】
（ｘｉ）少なくとも、掛け金を裏返して第１シリンダー錠に装着可能とされ、掛け金による施錠方向が選択可能となっているものであってもよい。これによれば、右開きの扉、左開きの扉に対応させる扉用施錠装置とするために、少なくとの掛け金を共用できることになる。
【００２６】
【発明の実施の形態】
以下、図面に基づきこの発明の態様を更に詳細に説明する。もちろんこの発明は以下の態様によって限定されるものではない。
図１は、この発明の扉錠施錠装置の一態様の背面からの一部分解斜視図、図２は、裏蓋を除いた分解斜視図である。
これらの図においては、扉用施錠装置１の掛け金２が解錠位置にある状態として示されている。
【００２７】
扉用施錠装置１の基枠３は、金属板を平面視コ字状に折り曲げて形成されたものであって、正面板部４と、該正面板部４の左右に設けられた後方に向かう側壁５、６からなる。正面板部４の上方位置に施錠用の第１シリンダー錠７が、下方位置に解錠用の第２シリンダー錠８が、それぞれの錠軸９、１０の軸線を平行にして取着されている。第１シリンダー錠７の正面板部４への取着は、正面板部４の上方位置に穿設された錠挿通用の孔４ａに、正面板部４の表面側から第１シリンダー錠７を錠軸９を先にして挿通し、正面板部４の背面側に出た外筒の外周に形成されたネジ山に取付ナット１１を螺合させることで行われている。同様にして、第２シリンダー錠８の正面板部４への取着は、正面板部４の下方位置に穿設された錠挿通用の孔４ｂに、正面板部４の表面側から第２シリンダー錠８を錠軸１０を先にして挿通し、正面板部４の背面側に出た外筒の外周に形成されたネジ山に取付ナット１２を螺合させることで行われている。
【００２８】
第１シリンダー錠７の錠軸９には、所定の角度位置に２つの爪を有する回動規制板１３が嵌め込まれており、錠軸９と一体に回動する。第１シリンダー錠７の外筒には、前記回動規制板１３の爪が当接し、錠軸９の回動を所定角度に規制する係止片７ａが突設している。従って、錠軸９は、回動規制板１３の一方の爪が外筒の係止片７ａの一辺に当接した位置と他方の爪が係止片７ａの他片に当接する角度との間で規制され、正方向（図１、図２における「時計方向」）、または、逆方向（図１、図２における「反時計方向」）に所定角度（図においては略６０度）回動する。
【００２９】
また、錠軸９には、当接用アーム１４の基端部が嵌め込まれ、錠軸９と一体に回動するようになっており、板状の掛け金２が、その基端部に穿設された軸受嵌合用の孔２ａに嵌め合わされた軸受１６を介して、回動可能に支持されている。そして、締め付けナット１７を錠軸９に形成されたネジ山に螺合させ、後方より軸受１６、当接用アーム１４、回動規制板１３の順で錠軸９に固定されている。
第２シリンダー錠８の錠軸１０には、所定の角度位置に２つの爪を有する回動規制板１８が嵌め込まれており、錠軸１０と一体に回動する。第２シリンダー錠８の外筒には、前記回動規制板１８の爪が当接し、錠軸１０の回動を所定角度に規制する係止片８ａが突設している。従って、錠軸１０は、回動規制板１８の一方の爪が外筒の係止片８ａの一辺に当接した位置と他方の爪が係止片８ａの他片に当接する角度との間で規制され、正方向（図１、図２における「時計方向」）、または、逆方向（図１、図２における「反時計方向」）に所定角度（図においては略６０度）回動する。第２シリンダー錠８は、前記掛け金２の解錠位置においては、解錠キー１９が抜き取り不能となっている。そのためには、第２シリンダー錠８の外筒の係止片８ａの突設位置、回動規制板１８の爪の開き度、回動規制板１８の錠軸１０への嵌め込み角度等を適宜設定すればよい。
【００３０】
また、錠軸１０には、カム２０の基端部が嵌め込まれ、錠軸１０と一体に回動するようになっており、座金２１を介し、締め付けナット２２を錠軸１０に形成されたネジ山に螺合させ、後方よりカム２０、回動規制板１８の順で錠軸１０に固定されている。
掛け金２の軸受嵌合用の孔２ａの近傍には雌ネジ２ｂが形成されており、該雌ネジ２ｂに、軸部２４ａを備えた雄ネジ２４が掛け金２の前面側からドライバー等の工具によって螺合されている。前記雄ネジ２４の先端部の所定長さが掛け金２の背面側から延出しており、延出した雄ネジ２４は、コイルスプリング２５の掛止部として用いられる。掛け金２の下端縁は、円弧状の案内端縁２ｃ、下端縁に続く左側縁は、直線状の係合端縁２ｄとなっており、案内端縁２ｃと係合端縁２ｄとでカム当接端縁を構成している。
【００３１】
カム２０の先端部には雌ネジ２０ａが形成されており、該雌ネジ２０ａに雄ネジ２６がカム２０の前面側からドライバー等の工具によって螺合され、雄ネジ２６の先端部が所定長さカム２０の背面側から延出している。該雄ネジ２６の延出部の一部には筒状体２７が遊嵌され、該筒状体２７が、雄ネジ２６に対し回転自在となっている。雄ネジ２６の延出部のうち筒状体２７が遊嵌された部分を除く雄ネジは、コイルスプリング２５の掛止部として用いられる。
コイルスプリング２５の一端が、前記掛け金２の背面側から延出した雄ネジ２４に掛止され、他端が前記カム２０の背面側から延出した雄ネジ２６に掛止され、コイルスプリング２５の付勢力によって、前記掛け金２の案内端縁２ｃとカム２０に取り付けられた筒状体２７とが当接しており、掛け金２の係合端縁２ｄは、前記基枠３の左側壁５の内面に当接した解錠位置にあり、掛け金２の右側縁は、右側壁６に形成されたスリット６ａからわずか側方に露出している状態となっている。基枠３の左側壁５は、掛け金２を解錠位置で停止させるストッパーとして機能する。
【００３２】
図１に示されるように、基枠３には、裏蓋２９を被せて、左右の側壁５、６とともに密閉することで、内部が保護できるようになっている。このような裏蓋２９によって密閉構造とすることで、例えば、先端にフックが形成されたピアノ線のような不正操作具による不正操作を防止することができる。裏蓋は、金属板を折り曲げて形成されたもので、基枠３の右側壁６のスリット６ａと係止する係止部３０ａを備えた右側板部３０、背面板部３１、基枠３の左側壁５との重ね合わせ用の左側板部３２、上面板部３３、および、下面板部３４とからなる。そして、左側板部３２には、透孔３２ａが穿設されており、該透孔３２ａと基枠３の左側壁５に形成されたネジ孔５ａと合致させ、裏蓋２９が基枠３に止めネジで固定される。基枠３の右側壁６のスリット６ａの幅は、裏蓋２９の係止部３０ａがスリット６ａに係止した状態において、掛け金２が通過できるだけの幅となるように設定されており、掛け金２を施錠位置にして回動式の扉を施錠したとき、無理に扉を開けようとしても、掛け金２が支えられることになり、無理な力が第１シリンダー錠７の錠軸９等にかかることを防止できる。
基枠３の正面板部４の上下端縁近傍には、扉用施錠装置を扉等に取り付けるための透孔４ｃ、４ｃが穿設されている。
【００３３】
この扉用施錠装置１によれば、施錠キー３５によって第１シリンダー錠７の施錠操作を行うだけで、掛け金２を解錠位置から施錠位置にまで回動させて施錠ができ、解錠キー１９によって第２シリンダー錠８の解錠操作を行うだけで、掛け金２を施錠位置から解錠位置にまで戻し解錠することができる。
【００３４】
以下、更に詳細に説明する。
先ず、掛け金２が解錠位置にある状態からの施錠操作について説明する。図３は、施錠操作についての説明図である。図３（ａ）は、図１、図２に示されていると同様、掛け金２が解錠位置にある状態を示しており、掛け金２の係合端縁２ｄは、基枠３の左側壁５の内面に当接した解錠位置にあり、掛け金２の右側縁は、右側壁６に形成されたスリット６ａからわずか側方に露出した状態となっている。カム２０は、コイルスプリング２５の付勢力により、該カム２０に取り付けられた筒状体２７が掛け金２の案内端縁２ｃに当接した図の位置にある。この状態において、第２シリンダー錠８に差し込まれた解錠キー１９を操作しようとしても、操作ができず、また、第２シリンダー錠８に差し込まれた解錠キー１９は、抜き取り不能となっている。
【００３５】
図３（ａ）に示す解錠状態において、施錠キー３５を第１シリンダー錠７に差し込み、施錠キー３５を図３（ａ）において反時計方向に回動させると、第１シリンダー錠７の錠軸９とともに当接用アーム１４も同方向に回動し、当接用アーム１４の側縁が、掛け金２に取り付けられた雄ネジ２４の軸部２４ａに当接するに至る。
そして、当接用アーム１４の側縁が軸部２４ａを押圧することになり、更なる当接用アーム１４の回動に伴って、コイルスプリング２５の付勢力に抗しつつ、掛け金２が、第１シリンダー錠７の錠軸９の軸心を中心に反時計方向（図３（ｂ）の矢印Ａ方向参照）に回動し、右側壁６から掛け金２が側方に張り出すことになる。
掛け金２が施錠位置にまで回動すると、コイルスプリング２５の付勢力により、瞬間的に、カム２０が、第２シリンダー錠８の錠軸１０の軸線を中心に反時計方向（図３（ｃ）の矢印Ｂ方向参照）に回動してカム２０の位置が切り替わり、図３（ｃ）で示すカム角度位置（より具体的には、図２に示す第２シリンダー錠８の錠軸１０に設けられた回動規制板１８の左方側の爪が外筒の係止片８ａに当接して停止された角度位置）において停止するとともに、この位置で掛け金２の係合端縁２ｄに、カム２０に取り付けられた筒状体２７が当接することで施錠状態となる。これによって、掛け金２は施錠位置にロックされる。この状態においては、掛け金２の施錠位置から解錠方向への回動はできず、解錠キー１９が第２シリンダー錠８から抜き取り可能となる。
【００３６】
施錠キー３５による施錠操作において、掛け金２の第１シリンダー錠７の錠軸９の軸心を中心とする解錠位置から施錠位置に至るまでの回動は、コイルズプリング２５の付勢力により掛け金２の案内端縁２ｃとカム２０の筒状体２７が当接した状態で行われる。
掛け金２の施錠位置においては、掛け金２とカム２０とは、上記のような位置関係となっていることから、掛け金２の錠軸９の軸心を中心とした回動はできないものの、第１シリンダー錠７の錠軸９は、回動規制板１３の爪の開き度に応じ回動可能となっており、施錠キー３５は、施錠方向と逆方向に回動させて施錠操作開始時の位置にまで戻すことができ、第１シリンダー錠７から抜き取ることができる。施錠キー３５を施錠操作開始時の位置まで戻すと、錠軸９とともに回動規制板１３、当接用アーム１４も施錠操作開始時の位置まで戻る。
【００３７】
次に、掛け金２が施錠位置にある状態からの解錠操作について説明する。図４は、解錠操作についての説明図である。図４（ａ）は、掛け金２が施錠位置にあり、施錠キー３５は、第１シリンダー錠７から抜き取られており、一方、第２シリンダー錠８には、解錠キー１９が差し込まれた状態（解錠キーは図示していない。）を示している。
【００３８】
この状態において、解錠キー１９を、コイルスプリング２５の付勢力に抗しつつ、解錠方向に回動させると、第２シリンダー錠８の錠軸１０とともにカム２０が時計方向（図４（ｂ）の矢印Ｃ方向参照）に回動する。この時、カム２０の筒状体２７と掛け金２の係合端縁２ｄとの当接が解除されるまでは、コイルスプリング２５の付勢力により、掛け金２の係合端縁２ｄとカム２０の筒状体２７が当接した状態で、掛け金２が、カム２０の筒状体２７に押されつつ、一旦、第１シリンダー錠７の錠軸９を中心として反時計方向（図４（ｂ）の矢印Ｄ方向参照）に回動する。そして、カム２０の筒状体と掛け金２の係合端縁２ｄとの当接が解除されると、コイルスプリング２５の付勢力により、掛け金２は、瞬時にして第１シリンダー錠７の錠軸を中心に時計方向に回動して、基枠３の左側壁の内面に当接した解錠位置にまで戻る（図４（ｃ）参照）。これによって、解錠キー１９は、第２シリンダー錠８から抜き取り不能状態となり、図３（ａ）で示す初期状態に戻ったことになる。
【００３９】
次に、この扉用施錠装置１が、ゲームセンター等に設置されたロッカーの扉に装着された場合を例にして、更に、説明する。
図５、図６は、ロッカーの一部を示し、図５は、この扉用施錠装置１がロッカー用扉に装着された平面図、図６は、正面図である。
【００４０】
図５、図６におけるロッカーの扉４０は、回動式の左開きの扉（いわゆる、左掛け扉）として示されており、扉用施錠装置１は、透孔４ｃ、４ｃを利用して扉４０の左端にネジ止めされ（図示せず）、ネジを覆うようにして、扉４０の前面には、表板４１が取り付けられている。第１シリンダー錠７の錠面７ｂと、第２シリンダー錠８の錠面８ｂは表板４１から露出している。表板４１は扉の左端から稍張り出しており、縦枠４２の前面に当接した状態となっている。
図５、図６においては、ロッカー内に賞品等（図示せず）が収納されて、扉用施錠装置１の掛け金２が縦枠４２に設けられた係止部４２ａに係止した施錠状態にある。扉用施錠装置１が施錠状態にあることから、施錠キー３５、解錠キー１９は抜き取られている。
【００４１】
図５、図６に示す施錠状態にするには、以下のようにして行えばよい。すなわち、管理者等は、解錠キーが付いた空のロッカーの扉を開き、ロッカー内に賞品等を収納し、解錠キー１９が付いた状態において、扉を閉じた後、施錠キー３５を用いて第１シリンダー錠７の施錠操作を行う。施錠キー３５による施錠操作を行うことで、前記したことから明らかなように掛け金２が錠軸９の軸心を中心に施錠位置まで回動し、ロッカーを施錠状態とすることができる。その後、施錠キー３５と解錠キー１９とを抜き取る。
そして、図５、図６に示す施錠状態において、管理者等は施錠キー３５を手元に保管し、解錠キー１９をゲームに供する。プレーヤーは、ゲームによって、特定のロッカーに用いられている解錠キー１９を獲得したら、その解錠キー１９によって第２シリンダー錠８の解錠操作を行うと、前記したことから明らかなように掛け金２が解錠位置となり、ロッカーの扉を開けて賞品等を得ることができる。扉用施錠装置１は、第２シリンダー錠８から解錠キー１９が抜き取り不能とされた初期状態（図３（ａ）参照）に戻ることになる。
【００４２】
このように、この扉用施錠装置によれば、掛け金による扉の施錠は、施錠キーによる第１シリンダー錠の施錠操作だけで確実に行われ、複数のキー操作等を必要とせず、簡便である。また、解錠キーによる第２シリンダー錠の解錠操作によって、瞬時に掛け金が解錠位置に戻ってしまい、掛け金を途中の状態に一時的にでも維持することができないことから、掛け金による扉の施錠が外れるだけのところまで解錠キーを操作して、扉を開き、次いで、解錠キーを操作前の状態に戻して掛け金を施錠位置にするようなことはできず、単に、ロッカー中に収納された賞品等を獲得できだけであって、いたずらまたは不正目的で解錠キーを第２シリンダー錠から抜き取り、持ち去ることはできない。
そして、この扉用施錠装置は、その構成部品である雄ネジ、当接用アーム、カム等は、市販品を利用することができ、部品点数も少なく、構造が簡単で故障等が生じにくく、堅牢であり、コンパクトであって、組立も容易で、製造コストの低いものである。
【００４３】
図５、図６においては、扉用施錠装置１をロッカーの左掛け扉４０に装着したものとして示したが、扉用施錠装置をロッカーの縦枠に装着するようにしてもよい。扉用施錠装置１をロッカーの縦枠に装着する場合は、扉は右開きとなる。また、扉用施錠装置１を上下逆にすれば、右掛け扉に装着することができる。扉用施錠装置を上開き扉、下開き扉に装着してもよいことはいうまでもない。
【００４４】
また、例えば、図１、図２に示す扉用施錠装置１において、基枠３として、左側壁５にも掛け金用のスリットが形成され、右側壁６にも止めネジ用の雌ネジが形成されたものを用いると、構成部品を共用等（例えば、掛け金２を裏返し、施錠用軸部を備えた雄ネジを締め直す等）することで、掛け金による施錠方向を左掛け用、右掛け用に選択可能な構造とすることができる。図７の扉用施錠装置５１は、左掛けから右掛け用に変更されたものであって、掛け金２が、左側壁５２のスリット（図示せず）から張り出して施錠位置になっている状態を示している。このように構成部材を共用できるような構造とすれば、第１シリンダー錠が上方で第２シリンダー錠が下方の位置のままで、右開きの扉、左開きの扉に対応させることができる。なお、この場合には、例えば、裏蓋にストッパーとしての機能を持たせるようにすればよい。
【００４５】
また、図８に示す施錠装置６１のように、掛け金６２に扉施錠用の切欠係合爪部６２ａを形成した扉用施錠装置としてもよい。これによれば、回動式の扉だけでなく、スライド式の扉を施錠するようにすることもできる。
【００４６】
この発明の扉用施錠装置としては、前記した実施形態に限られるものではなく種々の変更が可能である。例えば、図１における扉用施錠装置では、掛け金の係合端縁を直線状としたが、これに限られず、掛け金がカムによって当接係合できればよく、外側に凸状の係合端縁、内側に凹状の係合端縁等であってもよい。また、掛け金の雌ネジに施錠用軸部を備えた雄ネジを螺合させているが、掛け金に透孔を設け、これにピン等を植設するようにした構造、または、プレス加工等によって、掛け金に突起を形成し、該突起と当接用アームが当接するようにした構造等が採用できる。また、掛け金を錠軸の軸心を中心に円滑に回動させるのに、軸受を使用しているが、軸受を必ず必要とするものではなく、回動用の孔を設けた掛け金を、直接錠軸に嵌め込むようにしてもよい。また、掛け金としても板状のものでなくても、例えば、その一部が補強のため肉厚ブロック状とされたもの等であってもよい。また、基枠の左側壁が掛け金の解錠位置でのストッパーの機能も果たしているが、これに限られず、例えば、基枠の正面板部に後方にストッパーを延設させるようにしてもよい。また、掛け金の係合端縁が、掛け金の解錠位置ではストッパーと当接する機能を果たし、掛け金の施錠位置ではカムと当接する機能を果たすといった２つの機能を持つようにしているが、これに限られず、別途、掛け金にその解錠位置でストッパーと当接する突出部を形成し、掛け金の係合端縁は、施錠位置でのみカムと当接するだけとしてもよい。また、基枠も平面視コ字状でなくてもよく、正面板部だけに相当する平板であってもよい。また、掛け金とカムにコイルスプリングを掛止して、付勢力を付与するようにしているが、これに限られず、例えば、コイルスプリングに代えゴム弾性体等であってもよい。
【００４７】
以上においては、この発明の扉用施錠装置をゲームセンター等に設置されたロッカーの扉用施錠装置として使用された場合について説明したが、この発明の扉用施錠装置は、ゲームセンター等に設置されたロッカーだけでなく、例えば、受取人が不在の場合に対処するための、宅配用のロッカーの扉用施錠装置としても適したものである。
【００４８】
この発明の扉用施錠装置を、受取人が不在の場合に対処するための宅配用のロッカーに使用した場合は、施錠キーを宅配業者またはロッカーの管理者用とし、解錠キーを受取人用とすればよい。
その使用方法の一例を示すと、以下の通りである。すなわち、受取人が不在の場合、宅配業者は、宅配する品物をロッカー内に収納し、所持しているかまたは管理者から受け取った施錠キーを用いて第１シリンダー錠の施錠操作を行うだけで、扉が施錠できる。施錠キーと解錠キーを抜き取り、解錠キーは受取人の施錠された玄関の郵便受等に投入し、施錠キーは宅配業者が保管するか、管理者に返却する。受取人は、自己のロッカーの解錠キーが抜き取られていること確認し、郵便受等から解錠キーを取り出し、解錠キーを用いて自己のロッカーの第２シリンダー錠の解錠操作を行うだけで、扉を解錠でき品物を受け取ることができる。解錠キーは第２シリンダー錠から抜き取ることができず、そのまま残ることになる。
【００４９】
【発明の効果】
この発明の扉用施錠装置は、以上詳しく説明したように構成されているので、以下に記載されるような効果を奏する。
すなわち、掛け金による扉の施錠は、施錠キーによる第１シリンダー錠の施錠操作だけで確実に行われ、複数のキー操作等を必要とせず、簡便である。また、解錠キーによる第２シリンダー錠の解錠操作によって、瞬時に掛け金が解錠位置に戻ってしまい、掛け金を途中の状態に一時的にでも維持することができないことから、掛け金による扉の施錠が外れるだけのところまで解錠キーを操作して扉を開き、次いで、解錠キーを操作前の状態に戻して掛け金を施錠位置にするようなことはできず、単に、ロッカー中に収納された賞品等を獲得できるだけであって、いたずらまたは不正目的で解錠キーを第２シリンダー錠から抜き取り、持ち去ることはできない。
そして、この扉用施錠装置は、部品点数が少なく、構造が簡単で故障等が生じにくく、堅牢であり、コンパクトであって、組立も容易で、製造コストの低いものである。
【図面の簡単な説明】
【図１】この発明の扉用施錠装置の一形態を示す一部分解斜視図である。
【図２】図１に示す扉用施錠装置の裏蓋を除いた分解斜視図である。
【図３】図１に示す扉用施錠装置の施錠操作の説明図である。
【図４】図１に示す扉用施錠装置の解錠操作の説明図である。
【図５】図１に示す扉用施錠装置をロッカーに装着した状態を示す平面図である。
【図６】図５に示すロッカーの正面図である。
【図７】図１に示す扉用施錠装置の変形例を示す説明図である。
【図８】図１に示す扉用施錠装置のさらに他の変形例を示す説明図である。
【符号の説明】
１  施錠装置
２  掛け金
７  第１シリンダー錠
８  第２シリンダー錠
１４  当接用アーム
１９  解錠キー
２０  カム
２５  コイルスプリング
３５  施錠キー
【図１】
2004245015.tif 000003
【図２】
2004245015.tif 000004
【図３】
2004245015.tif 000005
【図４】
2004245015.tif 000006
【図５】
2004245015.tif 000007
【図６】
2004245015.tif 000008
【図７】
2004245015.tif 000009
【図８】
2004245015.tif 000010